(57)【特許請求の範囲】
【請求項１】
スラブから吊り下げた設備機器の下面に開口形成材を設置し、該開口形成材の設置箇所以外のところに、地上において所定の長さに切断された天井下地材を組立形成してスラブから吊りボルトで吊り下げるとともに、該天井下地材に、地上において所定の長さに切断された天井材を張った後、前記設備機器から開口形成材を取り外すことを特徴とする天井における設備機器用開口の形成方法。
【請求項２】
地上において開口形成材を設備機器に設置した後、該設備機器をスラブから吊り下げることを特徴とする請求項１に記載の天井における設備機器用開口の形成方法。
【請求項３】
開口形成材は少なくとも長さ方向、または長さ方向および幅方向に伸縮自在であることを特徴とする請求項１または２に記載の天井における設備機器用開口の形成方法。
【発明の詳細な説明】
【０００１】
【発明の属する技術分野】
本発明は天井における設備機器用開口の形成方法に関するものである。
【０００２】
【従来の技術】
近年、床面積を多く取るために天井設置型のエアコンやファンコイルユニットが使用されている。これら天井設置型の小型空調機などの設備機器を設置するには、天井に設備機器用開口を設ける必要があり、この開口は図５に示す方法で形成されていた。
【０００３】
はじめに、設備機器１８、すなわちエアコン１８の取付けの位置出しを行い、これにしたがってスラブ１７からエアコン１８を吊り下げる。次に、このエアコン１８を塞ぐようにその下側に、軽量鉄骨製の天井下地材である野縁１９を吊り下げる。次に、この野縁１９に、設備機器用開口の墨出しを行い、これにしたがって野縁１９をカットする。そして、この野縁１９に天井材２０を張り付け、これに設備機器用開口の墨出しを行う。次に、この墨出しにしたがって天井材２０をカットして設備機器用開口（図示せず）を形成し、ここにフェイスを取り付ける。
【０００４】
【発明が解決しようとする課題】
しかし、上記の設備機器用開口の形成方法には、以下のような問題があった。
（１）天井下地材と天井材への墨出し作業を必要とした
（２）開口形成のためのカットを天井下地材と天井材にしなければならなかった
（３）上記（２）のカットにともなう産業廃棄物が発生していた
（４）墨出しミスやカットミスによる天井材の張り直し工事が発生していた
（５）全て見上げ作業のため煩雑な工事となっていた
【０００５】
本発明はこれらの問題に鑑みてなされたものであり、その目的は、簡単に形成できる設備機器用開口の形成方法を提供することである。
【０００６】
【課題を解決するための手段】
以上の課題を解決するための天井における設備機器用開口の形成方法は、スラブから吊り下げた設備機器の下面に開口形成材を設置し、該開口形成材の設置箇所以外のところに、地上において所定の長さに切断された天井下地材を組立形成してスラブから吊りボルトで吊り下げるとともに、該天井下地材に、地上において所定の長さに切断された天井材を張った後、前記設備機器から開口形成材を取り外すことを特徴とする。また地上において開口形成材を設備機器に設置した後、該設備機器をスラブから吊り下げることを含み、開口形成材は少なくとも長さ方向、または長さ方向および幅方向に伸縮自在であることを含むものである。
【０００７】
天井下地材の形成前や天井材の張り付け前から設備機器用開口のスペースが確保されているため、該設備機器用開口を熟練工や煩雑な作業を必要とせずに簡単に形成することができる。天井下地材と天井材への墨出し作業を省くことができる。設備機器用開口の形成工程および形成時間を従来の半分以下とすることができる。天井下地材と天井材への開口形成のためのカットを省略することができる。産廃の発生をなくすことができる。墨出しミスやカットミスによる天井材の張り直し工事をなくすことができる。開口寸法が正確になり、仕上がり精度を高めることができる。開口形成材を設備機器の養生に利用することができる。
【０００８】
【発明の実施の形態】
以下、本発明の天井における設備機器用開口の形成方法の実施の形態を図面に基づいて説明する。この設備機器１は、いわゆるエアコンであり、平面長方形のものである。
【０００９】
はじめに、このエアコン１を、図１に示すように、インサート金具２に吊りボルト３をねじ込んでスラブ４から吊り下げる。このエアコン１は、フェイスを取り外した状態であるため、このフェイスを取り外した部分に開口形成材６をフェイスの取付ビス５で取り付ける。
【００１０】
この開口形成材６は天井に設備機器用開口を形成するものであり、図２に示すように、フェイス取付部分より長さ方向にやや伸びた大きさに形成されている。この開口形成材６は木製の枠材７の上側に平板８を取り付けて形成され、エアコン１の大きさの違いに対応するため、少なくとも長さ方向または幅方向、あるいは長さ方向と幅方向とに伸縮自在となっている。また開口形成材６は転用を図るため、木製の他に、プラスチック、軽量金属板、ダンボールなどで形成することもできる。
【００１１】
次に、図３に示すように、天井材を張り付けるための天井下地材９、すなわち軽量鉄骨製の野縁１０を開口形成材の設置箇所以外のところに組立形成し、吊りボルト１１でスラブ４から吊り下げる。この開口形成材６が位置する箇所に設置される野縁１０は、地上において所定の長さに切断されるので、従来のような墨出し作業およびカット作業を省くことができる。次に、この野縁１０に天井材１２を張り付けて天井１３を形成するが、この天井材１２も前記と同様に地上で所定の長さに切断される。
【００１２】
次に、図４に示すように、開口形成材６をエアコン１から取り外すと、天井１３に設備機器用開口１４が形成される。そして、この開口１４にフェイス１５を前記の取付ビス５で取り付けてエアコン１の設置を完了する。このような設備機器用開口の形成方法は、図５の（３）に示すように、従来のような墨出し作業やカット作業を省略することができるので、効率的な形成方法とすることができる。
【００１３】
また、上記のようにエアコン１をスラブ４に吊り下げた後、開口形成材６を設置する他、地上において開口形成材６をエアコン１に設置し、これをスラブに吊り下げる方法をとることもできる。
【００１４】
なお、上記の実施の形態において設備機器としてはエアコン１を用いたが、その他の設備機器でも同じ方法で設備機器用開口を形成するものとし、また設備機器の形状も平面長方形に限らずその他の形状、例えば平面円形のものであってもよい。
【００１５】
【発明の効果】
天井下地材の組立形成前や天井材の張り付け前から設備機器用開口のスペースが確保されているため、この設備機器用開口を熟練工や煩雑な作業を必要とせずに簡単に形成することができる。
【００１６】
見上げ作業を少なくすることができる。
【００１７】
天井下地材と天井材への墨出し作業を省くことができる。
【００１８】
設備機器用開口の形成工程や形成時間を従来の半分以下にすることができる。
【００１９】
開口形成のための天井下地材と天井材とのカットを省くことができる。
【００２０】
産廃の発生をなくすことができる。
【００２１】
墨出しミスやカットミスによる天井材の張り直し工事をなくすことができる。
【００２２】
開口寸法が正確になり、仕上がり精度を高めることができる。
【００２３】
開口形成材を設備機器の養生に利用することができる。
【図面の簡単な説明】
【図１】エアコンをスラブから吊り下げた断面図である。
【図２】開口形成材をエアコンに取り付ける斜視図である。
【図３】天井下地材に天井材を張り付けた断面図である。
【図４】開口形成材をエアコンから取り外した断面図である。
【図５】（１）は従来の設備機器用開口の形成方法を示す断面図、（２）は従来の設備機器用開口の形成方法を示すブロック図、（３）は本発明の設備機器用開口の形成方法を示すブロック図である。
【符号の説明】
１、１８  エアコン
２  インサート金具
３  吊りボルト
４、１７  スラブ
５  取付ビス
６  開口形成材
７  枠材
８  平板
９  天井下地材
１０、１９  野縁
１１  吊りボルト
１２、２０  天井材
１３  天井
１４  設備機器用開口
１５  フェイス
【図１】
0003749491.tif 000002
【図２】
0003749491.tif 000003
【図３】
0003749491.tif 000004
【図４】
0003749491.tif 000005
【図５】
0003749491.tif 000006